(57)【要約】【課題】  意匠などの仕様変更に伴うかご室の迅速な据付けまたはリニューアルを実施し、ユーザの要求に柔軟に対応できるエレベータかご設置方法を提供することにある。【解決手段】  かご枠１とかご室８ａ又は８ｂとから構成されるエレベータかごの設置方法において、建物のホール床面から昇降路２入口に向かって第1のレール７を敷設し、組立て工場又は前記のホール６内で組立てた前記かご室８ａ又は８ｂに車輪９を介して前記第１のレール７に走行可能に載置し、昇降路２内の巻上機に巻き掛けたワイヤーロープに吊り下げられたかご枠１のかご枠床部１ｄに敷設された第２のレール３を前記第１のレール７と同一高さ位置に設定し、かご室８ａ又は８ｂを第１のレール７からかご枠床部１ｄに敷設された第２のレール３に移し替えることにより、当該かご室８ａ又は８ｂをかご枠１内に組み込むエレベータかご設置方法。【選択図】図１
2008024451.tif 000002
【特許請求の範囲】
【請求項１】
かご枠とかご室とから構成されるエレベータかごの設置方法において、
建物のホール床面から昇降路入口に向かって第1のレールを敷設し、工場又は前記のホール内で組立てた前記かご室に車輪を介して前記第１のレールに走行可能に載置するかご室設置ステップと、
昇降路内の巻上機に巻き掛けたワイヤーロープに吊り下げられたかご枠のかご枠床部に対して前記第１のレールと同一高さ位置に第２のレールを敷設するかご枠レール設置ステップと、
前記かご室を前記第１のレールから前記かご枠床部に敷設された前記第２のレールに走行させて移し替えることにより、当該かご室をかご枠内に組み込むかご室組み込みステップとを有することを特徴とするエレベータかご設置方法。
【請求項２】
かご枠とかご室とから構成されるエレベータかごの設置方法において、
建物の複数階のホール床面からそれぞれ所望の号機に対応する昇降路入口に向かって第1のレールを敷設し、工場又は前記各階のホール内で組立てた前記かご室に車輪を介してそれぞれ前記第１のレールに走行可能に載置するかご室設置ステップと、
昇降路内の巻上機に巻き掛けたワイヤーロープに吊り下げられた各号機のかご枠のかご枠床部に対して前記各階の第１のレールと同一高さ位置にそれぞれ敷設するかご枠レール設置ステップと、
前記各階ホールのかご室をそれぞれ前記第１のレールから前記かご枠床部に敷設された前記第２のレールに走行させて移し替えることにより、各号機ごとのかご室をそれぞれかご枠内に組み込むかご室組み込みステップとを有することを特徴とするエレベータかご設置方法。
【請求項３】
請求項１又は請求項２に記載のエレベータかご設置方法において、
前記かご枠床部に位置決め部材を取り付けて、前記かご室を組み込む際のかご位置を規制するかご位置決めステップと、
前記かご枠床部に突没可能なかごロック部材を取り付け、前記かご枠内に前記かご室を組み込んだ後に当該床部面部から当該かごロック部材を突き出させることにより、かご室を施錠するステップをさらに付加したことを特徴とするエレベータかご設置方法。
【請求項４】
請求項１ないし請求項３の何れか一項に記載のエレベータかご設置方法において、
前記ホールは、一般のエレベータ利用者が乗降に利用しない昇降路に連なる場所であることを特徴とするエレベータかご設置方法。
【請求項５】
請求項１ないし請求項３の何れか一項に記載のエレベータかご設置方法において、
前記第１のレールとしては、前記昇降路入口側に設置される共用レールに分岐器を介して少なくとも複数の分岐レールが敷設され、そのうち少なくとも１つの分岐レールには前記かご枠から取り除いた既設のかご室を取り込み、他の分岐レールには所望とする意匠のかご室を載置し、前記既設のかご室を取り込んだ後にかご枠内に組込み可能とすることを特徴とするエレベータかご設置方法。
【発明の詳細な説明】
【技術分野】
【０００１】
本発明は、新設時や意匠などの仕様変更に伴うリニューアル時のエレベータかごの設置方法に関する。
【背景技術】
【０００２】
エレベータかごの新設時又はリニューアル時、図５に示すようにかご枠５１内でかご室５２を組立てのが一般的である。かご枠５１は、左右に配置される一対の縦枠５１ａ，５１ａと、各縦枠５１ａ，５１ａの下部に横架される下梁５１ｂと、各縦枠５１ａ，５１ａの上部に横架される上梁５１ｃと、下梁５１ｂ上に固定設置されるかご枠床部５１ｄとからなり、方形状の骨組構造を有している。そして、かご枠５１の内側において、かご枠床部５１ｄ上に直接又は防振ゴム５３を介してかご室５２を組立てながら固定する。５４はエレベータかごドアの敷居である。
【０００３】
また、別の従来例としては、運搬用台車上に荷物積載用かご室を載せ、フロアを水平的に移動し、かつ、かご枠プラットホールに載せて垂直に移動することにより、建物内をシャトル的に移動するかご室輸送システムが提案されている（特許文献１）。
【特許文献１】特開平１０−１６７６２７号公報（図２参照）
【発明の開示】
【発明が解決しようとする課題】
【０００４】
ところで、前者のエレベータかごは、かご枠５１内側でかご室５２を組立てる方法であるので、狭い場所での組立て作業となり、組立て作業が効率的に行えない問題がある。また、組立て場所等の制約から、かご枠５１内にかご室５２を組み込んだ後、ユーザの要望等によって異なる意匠のかご室５２にリニューアルしようとした場合、非常に大掛かりな分解及び組立て作業が必要となるため、既に設置済みのかご室５２をそのまま使用するか、内部化粧板を替えるなどの作業で済ませることが多く、ユーザの要望等に十分に満足させることが難しい。
【０００５】
一方、後者のかご室輸送システムは、乗客を含む荷物を効率的に輸送することが前提であり、昇降路にエレベータかごを新設したり、又は意匠の仕様変更にために新たなエレベータかごにリニューアルするものでなく、建物の同一レベルを水平移動させたり、荷物を積載した乗りかごを昇降内で垂直に移動し、必要な場所まで効率的に運搬するものである。そのため、常に台車が必要であり、かご室自体は荷物を運ぶケースとしての役割を有するものである。
【０００６】
本発明は上記事情に鑑みてなされたもので、かご枠外の任意の場所でかご室を組立ててかご枠に組込み可能とし、よって意匠などの仕様変更に伴うかご室の迅速な据付けまたはリニューアルを実施し、ユーザの要求に柔軟に対応できるエレベータかご設置方法を提供することを目的とする。
【課題を解決するための手段】
【０００７】
上記課題を解決するために、本発明に係るエレベータかご設置方法は、建物のホール床面から昇降路入口に向かって第1のレールを敷設し、工場又は前記のホール内で組立てた前記かご室に車輪を介して前記第１のレールに走行可能に載置するかご室設置ステップと、昇降路内の巻上機に巻き掛けたワイヤーロープに吊り下げられたかご枠のかご枠床部に対して前記第１のレールと同一高さ位置に第２のレールを敷設するかご枠レール設置ステップと、前記かご室を前記第１のレールから前記かご枠床部に敷設された前記第２のレールに走行させて移し替えることにより、当該かご室をかご枠内に組み込むかご室組み込みステップとを有する方法である。
【０００８】
また、本発明に係るエレベータかごの設置方法は、建物のホール床面から昇降路入口に向かって第1のレールを敷設し、工場又は前記のホール内で組立てた前記かご室に車輪を介して前記第１のレールに走行可能に載置するかご室設置ステップと、昇降路内の巻上機に巻き掛けたワイヤーロープに吊り下げられたかご枠のかご枠床部に対して前記第１のレールと同一高さ位置に第２のレールを敷設するかご枠レール設置ステップと、前記かご室を前記第１のレールから前記かご枠床部に敷設された前記第２のレールに走行させて移し替えることにより、当該かご室をかご枠内に組み込むかご室組み込みステップとを有する方法である。
【０００９】
さらに、本発明に係るエレベータかご設置方法は、前述する各エレベータかご設置方法に新たに、前記かご枠床部に位置決め部材を取り付けて、前記かご室を組み込む際のかご位置を規制するかご位置決めステップと、前記かご枠床部に突没可能なかごロック部材を取り付け、前記かご枠内に前記かご室を組み込んだ後に当該床部面部から当該かごロック部材を突き出させることにより、かご室を施錠するステップをさらに付加した方法である。
【発明の効果】
【００１０】
本発明によれば、かご枠外の任意の場所でかご室を組立ててかご枠に組み込むことにより、意匠などの仕様変更に伴うかご室の迅速な据付け又はリニューアルを実現でき、ユーザの要求に柔軟に対応できるエレベータかご設置方法を提供できる。
【発明を実施するための最良の形態】
【００１１】
以下、本発明の実施形態について図面を参照して説明する。  
（第１の実施の形態）
図１は本発明に係るエレベータかご設置方法の第１の実施の形態を説明する図であって、同図（ａ）は一部切り欠き平面図、同図（ｂ）は側面図である。  
同図において、１は昇降路２内に設置されているかご枠である。かご枠１は、前述した図５と同様に左右に配置される一対の縦枠１ａ，１ａと、各縦枠１ａ，１ａの下部に横架される下梁１ｂと、各縦枠１ａ，１ａの上部に横架される上梁１ｃと、下梁１ｂ上に固定設置されたかご枠床部１ｄとからなり、方形状の骨組構造に形成されている。
【００１２】
なお、かご枠１は図示されていないが巻上機に掛け渡されたメインロープの一端部に吊り下げられている。メインロープの一端部にはつりあい重りが吊り下げられている。よって、巻上機の回転駆動に伴い、かご枠及びかご室から構成されるエレベータかごが昇降路内を昇降移動可能となっている。
【００１３】
前記かご枠１のかご枠床部１ｄ面部には所定の間隔を維持しつつ水平、かつ、ホール側に向かう方向に向けてレール３が敷設されている。
【００１４】
レール３のホール側とは反対側端部相当位置のかご枠床部１ｄの面部には少なくとも１個の位置決め部材４が突設され、さらに、かご枠床部１ｄのホール側に近い所定の面部には所定値以上の重量を受けたときに没した後、復旧可能な突没可能なかごロック部材５が設けられている。
【００１５】
かごロック部材５は、かご枠床部１ｄ面部に突没可能に設けられ、外部から電気信号を与えて吸着することによって没し、当該電気信号を解除したときに吸着を解除し、かご枠床部１ｄの面部から突き出させるような電磁吸着装置を設けたもの、或いはかごロック部材５の回転軸に電動機の回転軸を連結し、時計方向及び反時計方向に所定角度回動させることにより、かご枠床部１ｄ面部から突没可能な構成としてもよい。これら位置決め部材４及び電磁吸着装置又は電動機付きかごロック部材５はかご施錠機構を構成する。
【００１６】
６はかご枠外のかご室組立て場所となる例えば建物のホールである。なお、かご室組立て場所としては、工場でかご室を組立てて例えば建物のホールに持ち込んでもよい。ここで、ホール６とは、例えばエレベータかごの新設時ではエレベータ利用者が乗降するためのホールであっても良いが、できれば利用者が乗降に利用しない建物の例えば地下倉庫などが望ましい。
【００１７】
ホール６床面には、かご枠床部１ｄ上のレール３と同一の間隔を有し、かつ、昇降路入口に向かって敷設される共通レール７ａと、必要な方向に分岐するための分岐器７ｂと、この分岐器７ｂを介して必要な方向に敷設される複数の分岐レール７ｃ１，７ｃ２，７ｃ３とが配置されている。なお、これら共通レール７ａ，分岐器７ｂ及び分岐レール７ｃ１，７ｃ２，７ｃ３を含むときには単にレール７と呼ぶ。
【００１８】
そして、分岐レール７ｃ１上には、組立て工場又はホール６内で組立てた例えば図２（ａ）に示すような室内意匠を有するかご室８ａが車輪９を介して走行可能に載置されている。分岐レール７ｃ２上には、同じく組立て工場又はホール６内で組立てた例えば図２（ｂ）に示すようなかご室８ａとは異なる室内意匠を有するかご室８ｂが必要な数の車輪９ｂを介して走行可能に載置されている。他の分岐レール７ｃ３はかご枠１から取り外したかご室８ｃを引き込むためのレールである。なお、エレベータかごの新設時だけに使用する場合、レール７を敷設するだけでよい。
【００１９】
次に、図２（ａ）に示す意匠の仕様変更を伴うかご室８ａにリニューアルするエレベータかご設置方法について説明する。  
（１）  先ず、巻上機を回転駆動し、昇降路２内のエレベータかご，特にかご枠１を構成するかご枠床部１ｄ上に敷設されるレール３の高さ位置がホール６に敷設された共通レール７ａと同一高さになるように昇降させることにより、かご枠１の高さ方向の位置決め調整を行う。
【００２０】
（２）  かご枠１の高さ方向の位置決め調整後、電気的な信号を付与することにより、かごロック部材５をかご枠床部１ｄ面部から没した後、かご枠１から既設のかご室８ｃを引き出し、同一面レベルのレール３→共通レール７ａ→分岐器７ｂ→分岐レール７ｃ３の順序で走行させる。つまり、かご枠１から既設のかご室８ｃを取り出し、分岐レール７ｃ３上に引き込む。
【００２１】
（３）  かご枠１から既設のかご室８ｃを取り除いた後、工場又はホール６で組立てた図２（ａ）に示す室内意匠を有するかご室８ａを電気的な動力手段又は人手によって押し出し、分岐レール７ｃ１→分岐器７ｂ→共通レール７ａの順序で走行させ、同一高さ位置にあるかご枠床部１ｄに敷設されているレール３に移し、かご枠１内に押し込んで行く。
【００２２】
（４）  かご室８ａがレール３に沿ってかご枠１内に前進していくと、かご施錠機構が働く。すなわち、かご室８ａは、位置決め部材４で位置規制され、例えば電磁吸着装置又は電動機の駆動によってかごロック部材５がかご枠床面部から突出し、かご室８ａの前後移動が完全に規制される。
【００２３】
また、かご室８ａの左右の振動を抑制するために、図３に示すような振動緩衝機構１１が設けられている。振動緩衝機構１１は、具体的には、かご枠１を構成する縦枠１ａ両端に向き合うようにに所定の距離を隔ててかご室８ａの左右面部に固定された２つの支持体１１ａ，１１ａ，と、各支持体１１ａ．１１ａにそれぞれ溶接付け又はネジ止めされ、縦枠１ａの対面及び各側面に当接するような防振ゴム（１１ｂ，１１ｃ）、（１１ｂ，１１ｃ）を取り付けたＬ字アングル１１ｄ，１１ｄとで構成されている。
【００２４】
従って、以上のようなエレベータかご設置方法の一実施の形態によれば、組立て専用工場又は例えば建物の地下倉庫等のホール６内で所望の室内意匠を有するかご室８ａ，８ｂを組立てて一時保管し、既設かご室８ｃのリニューアル時、ホール６内に敷設した分岐レール７ｃ１〜７ｃ３及びかご枠床部１ｄ上のレール３を利用し、かご枠１から既設のかご室８ｃを引き出して１つの分岐レール７ｃ３に取り込み、所望の室内意匠を有するかご室８ａをかご枠１に組み込むことにより、エレベータかごの交換を行う。
【００２５】
よって、ユーザの要望等を受けて異なる意匠のかご室例えば８ｂにリニューアルしようとした場合、かご枠１内で分解したり、組立てたりすることなく、かご室８ｂを交換するだけで済み、簡単な交換作業でエレベータかごのリニューアルを実現できる。その結果、ユーザの要望等を十分に満足させることができる。
【００２６】
さらに、昇降路２内のかご枠１内で作業をせずに、組立て工場やホール６で組立て作業を行うので、かご室８ｂの組立て作業の作業効率が向上し、作業員の危険も未然に回避することができる。
【００２７】
なお、かご室８ａ，８ｂだけでなく、かご室８ａを含んでかご枠１もリニューアルする場合でも、前述同様にリニューアルしたかご枠１のかご枠床部１ｄにレール３を敷設し、異なる意匠の仕様を持つかご室８ａ又は８ｂを前述同様の要領によって据付けるものである。
【００２８】
（第２の実施の形態）
図４（ａ）及び（ｂ）は本発明に係るエレベータかご設置方法における第２の実施の形態を説明する平面図及び側面図である。なお、同図において、図１と同一部分には同一符号を付し、その詳しい説明を省略する。
【００２９】
第１の実施の形態においては、１つのホール６を利用し、工場又はホール６にて意匠の仕様が異なる複数のかご室８ａ，８ｂを組立てて一時保管する方法である。
【００３０】
これに対し、本実施の形態は、例えば１つのホール６の平面上のスペースが狭いなどの場合、図４に示すように複数階のホール６，６を利用してかご室８ａ，８ｂを一時保管する方法である。
【００３１】
すなわち、本実施の形態は、例えば隣接する号機のエレベータかごを据付けるとか、リニューアル時、組立て工場又は複数階のホール６，６，…でそれぞれかご室８ａ，８ｂを組立てた後、各号機に属するかご枠１のかご床部１ｄに敷設されるレール４の高さ位置を、所望の意匠を有するかご室８ａ又は８ｂを一時保管する階の共通レール７ａと同一レベルに合わせた後、第１の実施の形態と同様に分岐器７ｂ及び分岐レール８ｃ１（又は８ｃ２）及び分岐レール８ｃ３を利用してかご室８ｃとかご室８ａ又は８ｂとを交換するものである。なお、かご室８ａ又は８ｂを据付けるだけの場合には、レール７ａだけを用いて、かご枠１にかご室８ａ又は８ｂを簡単に据付けることが可能である。
【００３２】
この実施の形態においても、かご枠床部１ｄに位置決め部材４、電磁吸着装置又は電動機付きかごロック部材５等のかご施錠機構を取り付けていることは言うまでもない。
【００３３】
従って、第２の実施の形態によれば、第１の実施の形態と同様の効果を奏する他、１つのホール６，特に利用者の乗降に利用しないホール６がないとか、乗降に利用しないホール６が有るが、当該ホール６の占有スペースが狭い場合、複数階のホール６，６を利用して複数号機に適用する複数のかご室８ａ，８ｂを組立てて一時保管し、交換することができる。
【００３４】
その他、本発明は上記実施の形態に限定それるものでなく、その要旨を逸脱しない範囲で種々変形して実施できる。
【００３５】
なお、組立て工場や建物のホール以外の建物近くの作業エリアでかご室８ａ，８ｂを組立てた後、平面スペースの大きなホール６又は複数階の各ホール６，６内に搬入して一時保管し、かご枠１に据付け又はリニューアルする方法でも構わない。
【図面の簡単な説明】
【００３６】
【図１】本発明に係るエレベータかご設置方法の第１の実施形態を説明する平面図及び側面図。
【図２】意匠の仕様が異なる２つのかご室内部の状況を示す図。
【図３】エレベータかごの左右方向の振動を抑制する振動緩衝機構の構成図。
【図４】本発明に係るエレベータかご設置方法の第２の実施形態を説明する平面図及び側面図。
【図５】従来のエレベータかご設置方法を説明する平面図及び側面図。
【符号の説明】
【００３７】
１…かご枠、１ａ…縦枠、１ｂ…下梁、１ｃ…上梁、１ｄ…かご枠床部、２…昇降路、３…レール、４…位置決め部材、５…かごロック部材、６…ホール、７…レール、７ａ…共通レール、７ｂ…分岐器、７ｃ１，７ｃ２，７ｃ３…分岐レール、８ａ，８ｂ…新規なかご室、８ｃ…既設のかご室。
【図１】
2008024451.tif 000003
【図２】
2008024451.tif 000004
【図３】
2008024451.tif 000005
【図４】
2008024451.tif 000006
【図５】
2008024451.tif 000007